(57)【特許請求の範囲】
【請求項１】
空気清浄機ユニット（２０）と扇風機ユニット（１０）とを相互に交換可能に有する装置（１００）であって、
前記空気清浄機ユニット（２０）がモータケース部（３０）に取り付けられた際には空気清浄機として機能し、
前記扇風機ユニット（１０）が前記モータケース部（３０）に取り付けられた際には扇風機として機能し、
前記空気清浄機ユニット（２０）は、第１の羽根（２２）と、前記第１の羽根（２２）の前方のフィルターセット（２３）と、前記第１の羽根（２２）および前記フィルターセット（２３）を覆うカバー（２１ａ、２１ｂ）と、を有し、
前記扇風機ユニット（１０）は、第２の羽根（１２）と、前記第２の羽根（１２）を覆うカバー（１１ａ１、１１ａ２、１１ｂ）と、を有し、
前記モータケース部（３０）には、前記第１の羽根（２２）および前記第２の羽根（１２）を回転させるための羽根用モータ（３２）が収容され、
前記装置（１００）は、
前記空気清浄機ユニット（２０）または前記扇風機ユニット（１０）を上下首振りさせるための上下首振りモータと、
前記空気清浄機ユニット（２０）または前記扇風機ユニット（１０）を左右首振りさせるための左右首振りモータと、
前記空気清浄機ユニット（２０）または前記扇風機ユニット（１０）を昇降させるためのスライドパイプ（５０）と、
を有し、
前記空気清浄機ユニット（２０）を正面から見たＹＺ平面にて、前記空気清浄機ユニット（２０）の排気口（ｈ）は、前記羽根用モータ（３２）の回転方向に幅を有し、前記排気口（ｈ）の幅方向の中心が、第１象限または第２象限に設けられ、前記排気口（ｈ）の幅方向の一端または両端が、第１象限または第２象限に設けられている、
ことを特徴とする装置（１００）。
【請求項２】
前記排気口ｈの幅方向の中心が、ＹＺ平面にて、４５°にある、
請求項１に記載の装置（１００）。
【請求項３】
前記第２の羽根（１２）を前面から覆う前カバーとして、扇風機モード用の前カバー（１１ａ１）とサーキュレータモード用の前カバー（１１ａ２）とを相互に交換可能に有し、
前記扇風機モード用の前カバー（１１ａ１）は、前記前カバー（１１ａ１）の中心から前記前カバー（１１ａ１）の周縁に直線状に延在する線状部材（１３）を有し、
前記サーキュレータモード用の前カバー（１１ａ２）は、前記前カバー（１１ａ２）の中心から前記前カバー（１１ａ２）の周縁に、前記第２の羽根（１２）の回転方向と同一の方向に曲線状に延在するとともに、風の方向を規制するために所定の幅を有する帯状部材（１４）を有する、
請求項１または２に記載の装置（１００）。
【発明の詳細な説明】
【技術分野】
【０００１】
本発明は、空気清浄機ユニットと扇風機ユニットとを相互に交換可能に有し、空気清浄機および扇風機として機能する装置に関するものである。
【背景技術】
【０００２】
従来の一般家庭用の空気清浄機は、据え置き型が主流であり、主に床面に設置される。このような空気清浄機は、吸気口が床面に近い部分に設けられ（例えば、特許文献１）、床面に堆積した花粉などの比較的重い微粒子を捕集することはできるものの、空気中に浮遊する比較的軽い微粒子を十分に捕集することはできなかった。例えば、ＰＭ２．５と称される粒径２．５μｍ以下のホコリや、粒径１μｍ以下のタバコの煙は、落下速度がきわめて遅く、長時間室内空間に滞留する。すると、吸気口が床面に近い部分に設けられている従来の空気清浄機では、このような粒径の小さいホコリ等を十分に吸引することができなかった。
一方、天井に取り付けられる空気清浄機、または、天井に埋め込まれた空気清浄機は、粒径の小さいホコリ等を吸引することはできるものの、落下速度が速く、床面に滞留する粒径の大きいホコリを十分に吸引することができなかった。
【先行技術文献】
【特許文献】
【０００３】
【特許文献１】特開２０１５−２３２４３３号公報
【発明の概要】
【発明が解決しようとする課題】
【０００４】
室内空間に滞留する粒径の小さいホコリおよび床面に滞留する粒径の大きいホコリの両方を吸引可能な空気清浄機が望まれていた。
また、空気清浄機は、部屋の窓を開放しない冬季や春先の花粉シーズンには使用頻度が高くなるが、その他の季節には使用頻度が低い。一方、扇風機は、主に夏季に使用され、シーズンオフには収納されることが多い。それゆえ、空気清浄機および扇風機の両方の機能を有する装置が望まれていた。
【０００５】
それゆえ、本発明は、空気清浄機ユニットと扇風機ユニットとを相互に交換可能に有し、空気清浄機および扇風機として機能する装置であって、空気清浄機として機能する際には室内空間に滞留する粒径の小さいホコリおよび床面に滞留する粒径の大きいホコリの両方を吸引可能な装置を提供することを目的とする。
【課題を解決するための手段】
【０００６】
本発明の要旨は、以下のとおりである。
本発明の装置（１００）は、空気清浄機ユニット（２０）と扇風機ユニット（１０）とを相互に交換可能に有する装置（１００）であって、
前記空気清浄機ユニット（２０）がモータケース部（３０）に取り付けられた際には空気清浄機として機能し、
前記扇風機ユニット（１０）が前記モータケース部（３０）に取り付けられた際には扇風機として機能し、
前記空気清浄機ユニット（２０）は、第１の羽根（２２）と、前記第１の羽根（２２）の前方のフィルターセット（２３）と、前記第１の羽根（２２）および前記フィルターセット（２３）を覆うカバー（２１ａ、２１ｂ）と、を有し、
前記扇風機ユニット（１０）は、第２の羽根（１２）と、前記第２の羽根（１２）を覆うカバー（１１ａ１、１１ａ２、１１ｂ）と、を有し、
前記モータケース部（３０）には、前記第１の羽根（２２）および前記第２の羽根（１２）を回転させるための羽根用モータ（３２）が収容され、
前記装置（１００）は、
前記空気清浄機ユニット（２０）または前記扇風機ユニット（１０）を上下首振りさせるための上下首振りモータと、
前記空気清浄機ユニット（２０）または前記扇風機ユニット（１０）を左右首振りさせるための左右首振りモータと、
前記空気清浄機ユニット（２０）または前記扇風機ユニット（１０）を昇降させるためのスライドパイプ（５０）と、
を有し、
前記空気清浄機ユニット（２０）を正面から見たＹＺ平面にて、前記空気清浄機ユニット（２０）の排気口（ｈ）は、少なくともその一部が、第１象限または第２象限に設けられている、
ことを特徴とする。
【０００７】
本発明の装置（１００）は、前記排気口ｈの中心が、ＹＺ平面にて、４５°を中心に対称に設けられている、
ことが好ましい。
【０００８】
本発明の装置（１００）は、前記第２の羽根（１２）を前面から覆う前カバーとして、扇風機モード用の前カバー（１１ａ１）とサーキュレータモード用の前カバー（１１ａ２）とを相互に交換可能に有し、
前記扇風機モード用の前カバー（１１ａ１）は、前記前カバー（１１ａ１）の中心から前記前カバー（１１ａ１）の周縁に直線状に延在する線状部材（１３）を有し、
前記サーキュレータモード用の前カバー（１１ａ２）は、前記前カバー（１１ａ２）の中心から前記前カバー（１１ａ２）の周縁に、前記第２の羽根（１２）の回転方向と同一の方向に曲線状に延在するとともに、風の方向を規制するために所定の幅を有する帯状部材（１４）を有する、
ことが好ましい。
【図面の簡単な説明】
【０００９】
【図１】空気清浄機として機能する本発明の装置を示す図である。
【図２】空気清浄機として機能する本発明の装置の上下首振り運転を示す図である。
【図３】排気口の各種実施形態を示す図である。
【図４】左右首振り運転時の排気の方向を説明するための図である。
【図５】空気清浄機ユニットの取り付け方法を説明するための図である。
【図６】扇風機として機能する本発明の装置を示す図である。
【図７】扇風機ユニットの取り付け方法を説明するための図である。
【図８】切り換えスイッチ部について説明するための図である。
【図９】扇風機モードでの動作に適した本発明の装置を示す図である。
【図１０】サーキュレータモードでの動作に適した本発明の装置を示す図である。
【図１１】本発明の装置の制御回路のブロック図である。
【発明を実施するための形態】
【００１０】
以下、図面を参照しながら本発明の装置を詳細に説明する。
本発明の装置は、空気清浄機ユニットと扇風機ユニットとを相互に交換可能に有し、図１〜図５を用いて、本発明の装置が空気清浄機として機能する場合を説明し、図６〜図１０を用いて、本発明の装置が扇風機として機能する場合を説明する。
【００１１】
図１（ａ）は空気清浄機として機能する本発明の装置の正面図であり、図１（ｂ）はこの装置の側面図であり、図１（ｃ）はこの装置の背面図であり、図１（ｄ）はこの装置の要部断面図である。
本発明の装置１００は、空気清浄機ユニット２０と、空気清浄機ユニット２０が取り付けられたモータケース部３０と、モータケース部３０を支持する支持部４０と、支持部４０を上下にスライドするスライドパイプ５０と、スライドパイプ５０に接続された支柱５１と、支柱５１に接続されたベース６０と、ベース６０に設けられ、装置１００の動作を制御するための表示・操作パネル７０と、空気清浄機ユニット２０とモータケース部３０との間に設けられた切り換えスイッチ部８０と、空気清浄機ユニット２０に設けられたセンサー９１と、を有する。
【００１２】
センサー９１は、空気中の塵埃濃度（ホコリレベル）を検出するホコリセンサーとしての機能と、臭気濃度（ニオイレベル）を検出するニオイセンサー、例えば、空気中のニオイ分子の酸化還元反応を利用して、還元性のニオイを検出する金属酸化物半導体センサーとしての機能と、の少なくとも一方を有する。センサー９１は、図示例では、空気清浄機ユニット２０の内部に設けられているが、モータケース部３０の内部に設けることもできる。
【００１３】
空気清浄機ユニット２０は、前カバー２１ａと、後カバー２１ｂと、（第１の）羽根２２（例えば、シロッコファン）と、フィルターセット２３と、を有する。フィルターセット２３は、例えば、集塵フィルター２３ａ（ＪＩＳＺ８１２２に規定するＨＥＰＡフィルターなど）と、脱臭フィルター２３ｂ（活性炭など）と、フィルター２３ａ、２３ｂを固定するフィルターカバー２３ｃと、から構成される。
空気清浄機ユニット２０の前面側、すなわち、前カバー２１ａの外周部のほぼ全周にわたり、前カバー２１ａと後カバー２１ｂとの間には、吸気口ｑが形成され、空気清浄機ユニット２０の側面側、すなわち、後カバー２１ｂの水平より上方部（略４５°）には、排気口ｈが形成されている。空気は、矢印で示すように吸気口ｑを介して空気清浄機ユニット２０内に吸気され、排気口ｈを介して排気される。排気口ｈに関しては、図３および図４を用いて後述する。
【００１４】
モータケース部３０には、回転軸３１を中心に羽根２２を回転させるための羽根用モータ３２が収容されている。モータケース部３０は、支持部４０によって挟持され、支持部４０の両側に配置された回動軸４１によって回動自在に支持され、上下首振り運転を行う。支持部４０は、スライドパイプ５０によって回動自在に支持され、左右首振り運転を行う。なお、スライドパイプ５０を上下にスライドすることにより、空気清浄機ユニット２０の高さを約４０ｃｍ〜約９０ｃｍに調節することができる。
【００１５】
図２に示すように、装置１００は、水平方向に対して上方向に約６０°（仰角約６０°）と、下方向に約１０°（俯角約１０°）と、の間で上下首振りモータｍにより空気清浄機ユニット２０を上下首振り運転させることができる。また、図４に示すように、左右に約９０°（−９０°から＋９０°の間）で左右首振りモータにより空気清浄機ユニット２０を左右首振り運転させることができる。
なお、上下方向および左右方向の首振り運転の角度は、この角度に限定されるものではなく、仰角約９０°も可能である。しかしながら、空気清浄機として機能する装置１００が壁際に設置された場合は、仰角を約６０°とすることが好ましい。なぜなら、仰角を約９０°とすると、排気口ｈが壁面に対向し、排気が壁面に当たり跳ね返って装置１００に吸気されるので、空気清浄効率が低下するおそれがあるためである。また、左右方向の首振り運転の角度は、約７０°であることが好ましい。
ただし、扇風機ユニット１０が取り付けられた場合と、空気清浄機ユニット２０が取り付けられた場合とで、首振り運転の角度を変更することもできる。
図２（ａ）に示すように、空気清浄機ユニット２０が上方を向いた状態（仰角を６０°に設定）では、主に部屋の上方の空気を吸気するので、空気中に浮遊する比較的軽い微粒子を捕集することができる。特に、スライドパイプ５０を上にスライドし、空気清浄機ユニット２０を高い位置に設定することにより、より効率的に空気中に浮遊する比較的軽い微粒子を捕集することができる。
また、図２（ｂ）に示すように、空気清浄機ユニット２０が床面方向を向いた状態（俯角を１０°に設定）では、床面に堆積した花粉などの比較的重い微粒子を捕集することができる。絨毯などの床面は人が歩いた時に塵埃が舞い上がりやすいので、俯角を１０°に設定することが集塵効果を高めるために有効である。特に、スライドパイプ５０を下にスライドし、空気清浄機ユニット２０を低い位置に設定することにより、より効率的に床面に堆積した花粉などの比較的重い微粒子を捕集することができる。
【００１６】
テーブル上で焼肉をしたり、椅子に座って煙草を吸う場合には、空気清浄機ユニット２０を上げて高い位置で装置１００を運転させ、座卓に座る場合には、空気清浄機ユニット２０を下げて低い位置で装置１００を運転させる、といったように、空気清浄機ユニット２０を煙や臭いの発生源に近づけることができ、空気清浄機を効率的に運転させることができる。
なお、スライドパイプ５０は、手動で上下にスライドし、ラチェット機構により任意の位置に固定することができるし、電動で上下にスライドさせることもできる。
【００１７】
図３は、排気口の各種実施形態を示す図である。
空気清浄機ユニット２０を正面から見たＹＺ平面において、排気口ｈは、少なくともその一部が、第１象限または第２象限に設けられている。すなわち、排気口ｈは、少なくともその一部が、真上と真横（水平）との間に設けられている。
具体的には、図３（ａ）に示すように、排気口ｈの中心が、ＹＺ平面において、４５°を中心に対称に設けられていることが好ましい。
図３（ｂ）に示すように、排気口ｈの下端が４５°未満の位置に存在し、排気口ｈの上端が９０°を超えた位置に存在し、排気口ｈが第１象限および第２象限にわたって設けられていてもよい。
図３（ｃ）に示すように、排気口ｈの下端が４５°未満の位置に存在し、排気口ｈの上端が９０°未満の位置に存在し、排気口ｈが第１象限のみに設けられていてもよい。
図３（ｄ）に示すように、排気口ｈの下端が４５°を超えた位置に存在し、排気口ｈの上端が９０°未満の位置に存在し、排気口ｈが第１象限のみに設けられていてもよい。
図３（ｅ）に示すように、排気口ｈの下端が４５°を超えた位置に存在し、排気口ｈの上端が９０°を超えた位置に存在し、排気口ｈが第１象限および第２象限にわたって設けられていてもよい。
なお、図３（ｆ）に示すように、排気口ｈの中心が、１３５°を中心に対称に第２象限のみに設けられていることも図３（ｂ）と同様に好ましい。また、前カバー２１ａは円形や角形の他任意の形状にすることができる。
排気口ｈの面積は、必要風量に応じて適宜設計することができる。一例として、排気口ｈの幅（後カバー２１ｂの円周方向の長さ）は、１５１ｍｍであり、排気口ｈの奥行き（Ｘ方向の長さ）は、７０ｍｍである。
【００１８】
図４は、左右首振り運転時の排気の方向を説明するための図である。図３（ａ）に示すように、排気口ｈの中心が、ＹＺ平面において、４５°を中心に対称に設けられているとする。
図４の中央には、空気清浄機ユニット２０を上から見たＸＹ平面において、空気清浄機ユニット２０が左右正面（Ｘ方向）を向いている状態が実線で示してある。この状態では、図４（ａ）に矢印で示すように、排気口ｈからの排気は、ＹＺ平面において４５°の方向、すなわち、空気清浄機ユニット２０を正面から見ると右斜め上の方向に出される。
空気清浄機ユニット２０が、左方向に首振り運転を行い、−Ｙ方向を向いている状態（破線で図示）では、図４（ｂ）に矢印で示すように、排気口ｈからの排気は、ＸＺ平面において４５°の方向、すなわち、空気清浄機ユニット２０を正面から見ると斜め前方に出される。
空気清浄機ユニット２０が、右方向に首振り運転を行い、Ｙ方向を向いている状態（破線で図示）では、図４（ｃ）に矢印で示すように、排気口ｈからの排気は、ＸＺ平面において−４５°の方向、すなわち、空気清浄機ユニット２０を正面から見ると斜め後方に出される。
一方、排気口ｈを空気清浄機ユニット２０の真上部分に設けると、左右首振り運転をしても、常に真上（Ｚ）方向に排気されるため、部屋の空気の循環作用が十分ではない。また、排気口ｈを空気清浄機ユニット２０の真横部分に設けると、送風が人に直接当たるおそれがあるので、体感の悪化が考えられる。それゆえ、本発明では、排気口ｈを真上や真横ではなく、斜め上方に設定することで、すなわち、空気清浄機ユニット２０を正面から見たＹＺ平面において、排気口ｈの少なくとも一部を、第１象限または第２象限に設けることにより、空気清浄機ユニット２０の左右首振り動作により排気方向も左右に変化し、部屋の空気の循環が広範囲に行われることになり、効率的な空気清浄運転が可能となる。
【００１９】
図５は、空気清浄機ユニット２０の取り付け方法を説明するための図である。
図５（ａ）に示すように、モータケース部３０と固定リング２５とにより後カバー２１ｂを挟むことによって、後カバー２１ｂをモータケース部３０に固定する。
次に、図５（ｂ）に示すように、回転軸３１に設けられたストッパー３３と固定リング２６とにより羽根２２を挟むことによって、羽根２２を回転軸３１に固定する。
次に、図５（ｃ）に示すように、羽根２２の前方にフィルターセット２３を配置する。
最後に、図５（ｄ）に示すように、前カバー２１ａを後カバー２１ｂに固定する。
このように、ユーザは空気清浄機ユニット２０をモータケース部３０に容易に取り付けることができる。
【００２０】
図６（ａ）は扇風機として機能する本発明の装置の正面図であり、図６（ｂ）はこの装置の側面図であり、図６（ｃ）はこの装置の背面図であり、図６（ｄ）はこの装置の要部断面図である。
本発明の装置１００は、空気清浄機ユニット２０を扇風機ユニット１０に交換すると、扇風機として機能する。
扇風機ユニット１０は、前カバー１１ａ１と、後カバー１１ｂと、（第２の）羽根１２（例えば、プロペラファン）と、を有する。前カバー１１ａ１は、羽根１２を前面から覆い、後カバー１１ｂは、羽根１２を側面および後面から覆う。
装置１００において、扇風機ユニット１０以外の構成要素や首振り運転は、装置１００が空気清浄機として機能する場合と同様であるので説明を省略する。
【００２１】
図７は、扇風機ユニット１０の取り付け方法を説明するための図である。
図７（ａ）に示すように、モータケース部３０と固定リング１５とにより後カバー１１ｂを挟むことによって、後カバー１１ｂをモータケース部３０に固定する。
次に、図７（ｂ）に示すように、回転軸３１に設けられたストッパー３３と固定リング１６とにより羽根１２を挟むことによって、羽根１２を回転軸３１に固定する。
最後に、図７（ｃ）に示すように、前カバー１１ａ１を後カバー１１ｂに固定する。
このように、ユーザは扇風機ユニット１０をモータケース部３０に容易に取り付けることができる。
本発明の装置１００は、扇風機のシーズンオフ時には、扇風機ユニット１０を空気清浄機ユニット２０に交換するだけで空気清浄機として使用することができる。また、装置全体を収納する必要がなく、扇風機ユニット１０または空気清浄機ユニット２０のみを収納すればよいので、省スペース化が図られる。
【００２２】
図８を用いて、切り換えスイッチ部８０について説明する。
切り換えスイッチ部８０は、スイッチ８１と、スイッチ８１を動作させるアクチュエータ８２ａ、８２ｂと、アクチュエータ８２ａ、８２ｂに作用する連動棒８３と、連動棒８３を付勢するコイルバネ８４と、連動棒８３に固定され、コイルバネ８４の一端を支持するストッパー８５と、コイルバネ８４の他端を支持するケーシング８６と、を有する。
図８（ａ）は、空気清浄機ユニット２０がモータケース部３０に取り付けられている状態である。空気清浄機ユニット２０の後カバー２１ｂは、連動棒８３の左端８３ａに接触し、連動棒８３を右方向に押す。すると、連動棒８３の右端８３ｂは、アクチュエータ８２ａ、８２ｂに作用し、スイッチ８１が、空気清浄機モードをＯＮにする。
図８（ｂ）は、扇風機ユニット１０がモータケース部３０に取り付けられている状態である。扇風機ユニット１０の後カバー１１ｂには、連動棒８３に対応する位置に開口部ｋが設けられ、連動棒８３は、この開口部ｋを介してモータケース部３０の外部に延在する。これにより、扇風機ユニット１０の後カバー１１ｂは、連動棒８３を押さないので、連動棒８３はアクチュエータ８２ａ、８２ｂに作用せず、スイッチ２２が、扇風機モードをＯＮにする。
このような切り換えスイッチ部８０を設けることにより、空気清浄機ユニット２０および扇風機ユニット１０のいずれが取り付けられているのかを装置１００が識別し、空気清浄機モードおよび扇風機モードの切り換えが自動で行われ、誤動作の心配がない。
なお、空気清浄機モードおよび扇風機モードの切り換え機構は、図示の実施形態に限定されるものではない。
【００２３】
さらに、本発明の装置が扇風機として機能する際には、図９に示すように、上下首振り運転または左右首振り運転の一方による通常の扇風機モードでの動作に適した構成と、図１０に示すように、上下首振り運転および左右首振り運転の両方を組み合わせたサーキュレータモードでの動作に適した構成と、が存在し、それぞれ前カバーを交換することにより両方の構成を１台の装置において実現することが好適である。なお、上述した図５の装置は、扇風機モードでの動作に適した構成である。
【００２４】
図９（ａ）は扇風機モードでの動作に適した本発明の装置の斜視図であり、扇風機モード用の前カバーが取り付けられている。図９（ｂ）は、扇風機モード用の前カバーのｙｚ平面図であり、図９（ｃ）はこの前カバーの線状部材の断面図であり、図９（ｄ）はこの前カバーの変形例である。
図９（ｂ）に示すように、扇風機モード用の前カバー１１ａ１は、前カバーの中心１１ｃから前カバーの周縁１１ｅに、ｙｚ平面において直線状に延在する線状部材１３を有する。図９（ｃ）に示すように、線状部材１３の断面は略円形であるが、楕円形や面取りをした多角形も可能である。なお、線状部材１３は、図９（ｂ）に示すように、ｙｚ平面において直線状であることが重要であり、図９（ｄ）に示すように、扇風機モード用の前カバー１１ａ１は、凸状とすることもできる。
このような構成の扇風機モード用の前カバー１１ａ１を装着した装置１００では、図９（ａ）に矢印で示すように、前カバー１１ａ１の直径Ｄの幅以上で送風され、風は拡散し、比較的柔らかい。それゆえ、扇風機モード用の前カバー１１ａ１を装着した装置１００は、風がユーザの身体に直接向けられる扇風機モードでの動作に適している。また、扇風機モード用の前カバー１１ａ１では、線状部材１３の断面が略円形であるため、線状部材１３の風に対する抵抗が小さいく、静音性が向上する。
【００２５】
図１０（ａ）はサーキュレータモードでの動作に適した本発明の装置の斜視図であり、サーキュレータモード用の前カバーが取り付けられている。図１０（ｂ）は前カバーのｙｚ平面図であり、図１０（ｃ）は前カバーの一部拡大図であり、図１０（ｄ）は前カバーの帯状部材の断面図である。
図１０（ａ）の装置１００は、図９（ａ）の装置１００の扇風機モード用の前カバー１１ａ１をサーキュレータモード用の前カバー１１ａ２に交換した点以外は、図９（ａ）の装置１００と同一である。
図１０（ｂ）（ｃ）に示すように、サーキュレータモード用の前カバー１１ａ２は、前カバーの中心１１ｃから前カバーの周縁１１ｅに、ｙｚ平面において時計回りの方向に曲線状に延在する帯状部材１４を有する。図１０（ｄ）に示すように、帯状部材１４の断面は逆Ｓ字形状を有し、風の方向を規制するためにｘ方向に所定の幅Ｗを有する。所定の幅Ｗは、一般的な扇風機の大きさの場合（前カバーの直径Ｄが２０ｃｍ〜３５ｃｍ）、例えば、５ｍｍ以上２０ｍｍ以下である。５ｍｍ未満の場合、風の方向を規制する効果が弱く、２０ｍｍ超の場合、風に対する抵抗が大きすぎる。また、所定の幅Ｗは、８ｍｍ程度が好ましい。
このような構成のサーキュレータモード用の前カバー１１ａ２を装着した装置１００では、図示を省略するが、羽根も時計回りの方向に回転し、図１０（ａ）に時計回りの方向のらせん状に示すように、前カバー１１ａ２の直径Ｄより小さい幅で送風され、風は拡散せず、指向性をもって遠くまで届く。それゆえ、サーキュレータモード用の前カバー１１ａ２を装着した装置１００は、風がユーザの身体に直接向けられるよりも、部屋の空気拡散（循環）のためのサーキュレータモードでの動作に適している。
【００２６】
本発明の好適実施形態では、扇風機モードでの動作に最適な扇風機モード用の前カバー１１ａ１と、サーキュレータモードでの動作に最適なサーキュレータモード用の前カバー１１ａ２と、を相互に交換可能であり、それぞれのモードでの性能を向上することができる。これにより、本発明の装置１００は、春秋の花粉の季節には空気清浄機として使用され、夏には扇風機モード用の前カバー１１ａ１を取り付けて扇風機（リビング扇）として使用され、冬にはサーキュレータモード用の前カバー１１ａ２を取り付けたサーキュレータとして使用されるため、１台３役で一年中使用可能である。
【００２７】
図１１に、本発明の装置１００の制御回路のブロック図を示す。
コントローラは、空気清浄機モードおよび扇風機モードを切り換えるための空気清浄機・扇風機切換スイッチと、装置１００が空気清浄機として機能する際に制御を担当する空気清浄機制御部と、装置１００が扇風機として機能する際に制御を担当する扇風機制御部と、タイマー制御部と、タイマーセット時間や風量設定などの使用状態を記憶するための記憶部と、を有する。
コントローラは、空気清浄機・扇風機切換スイッチによって、空気清浄機制御部または扇風機制御部を選択し、選択された制御部が、羽根用モータ、上下首振りモータおよび左右首振りモータを制御する。
空気清浄機制御部のセンサー制御部は、センサー９１からの信号に基づき、空気中の塵埃濃度を判定し、羽根用モータ、上下首振りモータおよび左右首振りモータの運転を制御する。
また、コントローラには、各制御部および各モータにＤＣ電源を供給するための電源供給部と、表示・操作部と、が接続されている。表示・操作部には、操作パネル７０のボタンが配置されている。
羽根用モータにはＤＣブラシレスモータ等を採用し、空気清浄機および扇風機のそれぞれにおいて、羽根用モータの回転数を変更することができる。例えば、空気清浄機では、高速回転で制御し、扇風機では低速回転で制御し、それぞれ、強、中、弱等の複数段階の回転数を選択して羽根用モータを動作させることができる。
【符号の説明】
【００２８】
１０                扇風機ユニット
１１ａ１、１１ａ２  前カバー
１１ｂ              後カバー
１２                （第２の）羽根
１３                線状部材
１４                帯状部材
１５、１６          固定リング
２０                空気清浄機ユニット
２１ａ              前カバー
２１ｂ              後カバー
２２                （第１の）羽根
２３                フィルターセット
２３ａ              集塵フィルター
２３ｂ              脱臭フィルター
２３ｃ              フィルターカバー
２５、２６          固定リング
３０                モータケース部
３２                羽根用モータ
３３                ストッパー
４０                支持部
４１                回動軸
５０                スライドパイプ
５１                支柱
６０                ベース
７０                表示・操作パネル
８０                切り換えスイッチ部
８１                スイッチ
８２ａ、８２ｂ      アクチュエータ
８３                連動棒
８３ａ              左端
８３ｂ              右端
８４                コイルバネ
８５                ストッパー
８６                ケーシング
９１                センサー
１００          装置
ｋ              開口部
ｍ              上下首振りモータ
ｈ              排気口
ｑ              吸気口
【要約】      （修正有）【課題】空気清浄機ユニットと扇風機ユニットとを相互に交換可能に有する装置を提供する。【解決手段】装置は、空気清浄機ユニット２０がモータケース部３０に取り付けられた際には空気清浄機として機能し、扇風機ユニットがモータケース部３０に取り付けられた際には扇風機として機能し、モータケース部３０には、空気清浄機ユニット２０用の羽根および扇風機ユニット用の羽根を回転させるための羽根用モータが収容され、上下首振りモータと、左右首振りモータと、スライドパイプ５０と、を有し、空気清浄機ユニット２０を正面から見たＹＺ平面にて、空気清浄機ユニット２０の排気口ｈは、少なくともその一部が、第１象限または第２象限に設けられている。【選択図】図１−ｂ【図１−ａ】
0005997857.tif 000002
【図１−ｂ】
0005997857.tif 000003
【図１−ｃ】
0005997857.tif 000004
【図１−ｄ】
0005997857.tif 000005
【図２】
0005997857.tif 000006
【図３】
0005997857.tif 000007
【図４】
0005997857.tif 000008
【図５】
0005997857.tif 000009
【図６−ａ】
0005997857.tif 000010
【図６−ｂ】
0005997857.tif 000011
【図６−ｃ】
0005997857.tif 000012
【図６−ｄ】
0005997857.tif 000013
【図７】
0005997857.tif 000014
【図８】
0005997857.tif 000015
【図９−ａ】
0005997857.tif 000016
【図９−ｂｃｄ】
0005997857.tif 000017
【図１０−ａ】
0005997857.tif 000018
【図１０−ｂｃｄ】
0005997857.tif 000019
【図１１】
0005997857.tif 000020